(57)【要約】      （修正有）【課題】側方の広い範囲へ光を出射させることができる光源ユニットを提供する。【解決手段】光源ユニット１は、発光層を有する光源１３と、光源１３から表側に出射された光の配向を制御する光学部材１４とを備える。光学部材１４は、光源１３の光軸Ｘを含む仮想面の断面において、光源１３と対向し、且つ、光軸Ｘと直交する裏面１４１と、光源１３から表側に離れるにしたがって光軸Ｘと直交する方向の外側へと広がる表面１４２とを有する。表面１４２において、裏面１４１から入射した光は、外側へと反射する。【選択図】図２
2020087544.tif 000002
【特許請求の範囲】
【請求項１】
発光層を有する光源と、
前記光源から表側に出射された光の配向を制御する光学部材と
を備え、
前記光学部材は、前記光源の光軸を含む仮想面の断面において、前記光源と対向し且つ前記光軸と直交する裏面と、前記光源から表側に離れるにしたがって前記光軸と直交する方向の外側へと広がる表面とを有し、
前記表面は、前記裏面から入射した光が当該表面で前記外側へと反射するように構成されている
光源ユニット。
【請求項２】
前記光学部材は、前記断面において、前記裏面における前記光源と対向する部分であって前記光軸よりも当該光軸と直交する方向の外側部分に表側へと凹入する第１凹入部を有し、
前記第１凹入部における前記光軸側と反対側の面は、前記光源から当該面に向かう光を前記光軸と直交する方向の外側へと屈曲させるように構成されている
請求項１に記載の光源ユニット。
【請求項３】
前記光学部材は、前記断面において、前記裏面における前記光源としない部分に表側へと凹入する第２凹入部を有し、
前記第２凹入部における前記光軸側の面は、前記第１凹入部における前記光軸側と反対側の面で屈曲した光を前記表面へと反射させるに構成されている
請求項２に記載の光源ユニット。
【請求項４】
前記表面又は前記第２凹入部における前記光軸側の面に、光反射部材が設けられている
請求項３に記載の光源ユニット。
【発明の詳細な説明】
【技術分野】
【０００１】
本発明は、光源からの光を光学部材で配光制御して出射する光源ユニットに関する。
【背景技術】
【０００２】
配光制御された光を出射する光源ユニットとして、例えば、「基板上に実装された光源と、前記光源の光軸と同心に中心軸が位置するように配置され、前記光源から出射された光を入射するとともに入射した光の配光を制御して出射する光束制御部材と、を有する発光装置であって、前記光束制御部材は、底面と、前記底面の一部を内部に凹ませて形成されるとともに前記底面に開口した凹部と、前記凹部の内面であるとともに、前記光源から出射された光を入射する入射面と、前記入射面から入射した光の配光を制御して外部に光を出射する出射面とを有する」の構成が開示されている（例えば、特許文献１）。
なお、開示された技術の光束制御部材及び発光装置が、本明細書の光学部材及び光源ユニットに相当する。
【先行技術文献】
【特許文献】
【０００３】
【特許文献１】特開２０１２−０６４６５４号公報
【発明の概要】
【発明が解決しようとする課題】
【０００４】
上記光源ユニットでも光源からの光が側方に向かうように配向制御されているが、使用用途によってはさらに側方へ光を出射させたい場合もある。
本発明は、側方の広い範囲へ光を出射させることができる光源ユニットを提供することを目的とする。
【課題を解決するための手段】
【０００５】
本発明に係る光源ユニットは、発光層を有する光源と、前記光源から表側に出射された光の配向を制御する光学部材とを備え、前記光学部材は、前記光源の光軸を含む仮想面の断面において、前記光源と対向し且つ前記光軸と直交する裏面と、前記光源から表側に離れるにしたがって前記光軸と直交する方向の外側へと広がる表面とを有し、前記表面は、前記裏面から入射した光が当該表面で前記外側へと反射するように構成されている。
【０００６】
上記構成の光源ユニットによれば、側方の広い範囲へ光を出射させることができる。
【図面の簡単な説明】
【０００７】
【図１】照明装置の概略図であり、（ａ）は斜視図であり、（ｂ）は水平断面を上方から見た図である。
【図２】光源ユニットの断面図である。
【図３】実施例１を示す図であり、（ａ）はレンズの拡大図であり、（ｂ）は光路図であり、（ｃ）はビーム曲線図である。
【図４】実施例２を示す図であり、（ａ）はレンズの拡大図であり、（ｂ）は光路図であり、（ｃ）はビーム曲線図である。
【図５】実施例３を示す図であり、（ａ）はレンズの拡大図であり、（ｂ）は光路図であり、（ｃ）はビーム曲線図である。
【図６】実施例４を示す図であり、（ａ）はレンズの拡大図であり、（ｂ）は光路図であり、（ｃ）はビーム曲線図である。
【図７】各実施例の特性をまとめた図である。
【発明を実施するための形態】
【０００８】
＜概要＞
実施形態の一態様に係る光源ユニットは、発光層を有する光源と、前記光源から表側に出射された光の配向を制御する光学部材とを備え、前記光学部材は、前記光源の光軸を含む仮想面の断面において、前記光源と対向し且つ前記光軸と直交する裏面と、前記光源から表側に離れるにしたがって前記光軸と直交する方向の外側へと広がる表面とを有し、前記表面は、前記裏面から入射した光が当該表面で前記外側へと反射するように構成されている。
実施形態の別態様に係る光源ユニットにおいて、前記光学部材は、前記断面において、前記裏面における前記光源と対向する部分であって前記光軸よりも当該光軸と直交する方向の外側部分に表側へと凹入する第１凹入部を有し、前記第１凹入部における前記光軸側と反対側の面は、前記光源から当該面に向かう光を前記光軸と直交する方向の外側へと屈曲させるように構成されている。これにより、側方の広い範囲へ光を出射させることができる。
実施形態の別態様に係る光源ユニットにおいて、前記光学部材は、前記断面において、前記裏面における前記光源としない部分に表側へと凹入する第２凹入部を有し、前記第２凹入部における前記光軸側の面は、前記第１凹入部における前記光軸側と反対側の面で屈曲した光を前記表面へと反射させるに構成されている。これにより、表側にも光を出射させることができる。
実施形態の別態様に係る光源ユニットにおいて、前記表面又は前記第２凹入部における前記光軸側の面に、光反射部材が設けられている。これにより、効率よく光を反射できる。
【０００９】
＜実施形態＞
１．概要
図１を用いて説明する。
光源ユニット１は冷蔵機能を有する冷ケース２内に設けられている。一例である冷ケース２は、前面にガラス扉３を開閉自在に備えるケース本体４内に、上下に間隔をおいて配された複数枚の陳列棚５を備える。
ガラス扉３は、ここでは３個あり、ケース本体４の前側の支柱６に対して上下方向の軸回りに設けられている。光源ユニット１は支柱６の裏側に設けられている。
【００１０】
２．光源ユニット
光源ユニット１は、図２に示すように、支柱６に取り付けられる長尺状のベース１１と、ベース１１に長手方向に沿って設けられる基板１２と、基板１２に対して長手方向に間隔をおいて配された複数個のＬＥＤ１３と、ベース１１に取り付けられるレンズ１４とを備える。なお、複数個のＬＥＤ１３と基板１２とで光源モジュールが構成される。
レンズ１４は本発明の光学部材の一例に相当し、以下、レンズ１４について詳細に説明する。
【００１１】
レンズ１４はベース１１の長手方向に長い形状をしている。ここでのレンズ１４は、長手方向と直交する断面（横断面とする）の形状が長手方向に沿って一定に構成されている。なお、以下、レンズ１４の形状は、横断面における形状を指すことが多い。
レンズ１４は、ＬＥＤ１３の主出射側である表側に対向する状態で配されている。
ここで、光の出射方向を表側とし、表裏方向は光軸Ｘの延伸方向と一致する。光軸Ｘと直交する方向を幅方向とする。なお、幅方向は長手方向とも直交し、短手方向や左右方向ともいう。また、表面１４２や凹入面の傾斜角度は幅方向を基準にしている。
【００１２】
レンズ１４は半円の表側に三角形状の凹みを有するような形状をしている。レンズ１４は、ＬＥＤ１３の光軸Ｘを含む仮想面の断面において、ＬＥＤ１３と対向し且つ光軸Ｘと直交する裏面１４１と、ＬＥＤ１３から表側に離れるにしたがって光軸と直交する方向の外側に広がる表面１４２とを有する。ここでの光軸Ｘを含む仮想面の一例は、レンズ１４の長手方向と直交する仮想面である。
レンズ１４は、表面１４２の幅方向の外方端と、裏面１４１の幅方向の外方端とを結ぶ側面１４３を有している。側面１４３は、横断面において、幅方向の外方へ膨らむ形状をしている。
レンズ１４は光軸に対して幅方向に対称な形状をしている。
【００１３】
（２−１）裏面
裏面１４１の面積及び裏面１４１とＬＥＤ１３との間隔は、ＬＥＤ１３からの光がレンズ１４内に入射するように、設定されている。好ましくは、ＬＥＤ１３からの光がすべてレンズ１４に入射するように設定されている。具体的には、裏面１４１は、ＬＥＤ１３の周縁での１／２ビーム角よりも外側まで存在するように構成されている。
裏面１４１は、例えば、図３に示すように、ＬＥＤ１３の光軸Ｘと直交する平坦面であってもよい（例えば、実施例１である）。
【００１４】
裏面１４１は、例えば、図２に示すように、ＬＥＤ１３と対向する部分であって当該ＬＥＤ１３の光軸Ｘよりも幅方向の外側に位置する部分に、表側に凹入する第１凹入部１４４を有してもよい（例えば、図４に示す実施例２である）。
第１凹入部１４４は、横断面において、光軸Ｘを挟んで２つある。第１凹入部１４４は表側に三角状に凹入している。
第１凹入部１４４における光軸Ｘに近い側（内側）の第１内側凹入面１４４ａは、ＬＥＤ１３から出射されてきた光を表面１４２に向けて広がるように反射させる。
第１凹入部１４４における光軸Ｘから遠い側（外側）の第１外側凹入面１４４ｂは、ＬＥＤ１３から出射されてきた光を表面１４２又は側面１４３に向けて広がるように屈曲させる。
【００１５】
第１凹入部１４４を三角形状の溝とすることにより、第１内側凹入面１４４ａに入射した光が表面１４２に向かうように構成されている。換言すると、第１内側凹入面１４４ａから入射した光を側面１４３に直接に向かわないように構成されている。これにより、ＬＥＤ１３から第１内側凹入面１４４ａに入射した光を有効に利用できると共に光路設計が容易となる。
【００１６】
第１凹入部１４４の幅方向の寸法（開口の大きさ）と第１外側凹入面１４４ｂの傾斜角度は、第１外側凹入面１４４ｂに入射した光が、表面１４２に向かう光と側面１４３に向かう光との割合によって適宜決定されている。つまり、表面１４２に向かう光を多くする場合、第１凹入部１４４の幅を大きくし且つ第１外側凹入面１４４ｂの傾斜角を小さくするように構成される。側面１４３に向かう光を多くする場合、第１凹入部１４４の幅を小さくし且つ第１外側凹入面１４４ｂの傾斜角を大きくするように構成される。
【００１７】
裏面１４１は、図２に示すように、ＬＥＤ１３と対向しない部分であって第１凹入部１４４よりも幅方向の外側部分に、表側へと凹入する第２凹入部１４５を有してもよい（例えば第３実施例）。
【００１８】
第２凹入部１４５における光軸Ｘに近い側（内側）の第２内側凹入面１４５ａは、横断面において、直線に近い形状を有している。
第２内側凹入面１４５ａは裏面１４１から入射した又は第１外側凹入面１４４ｂで屈曲した光を表面１４２に向けて反射させる。表面１４２に向けて反射させる光を増やす場合には第２凹入部１４５を深く（表面１４２側に溝を深く）し、表面１４２に向けて反射させる光を少なくして側面１４３に向けて進行する光を増やす場合は第２凹入部１４５を浅く（裏面１４１側に溝を浅く）する。
【００１９】
第２凹入部１４５における光軸Ｘから遠い側（外側）の第２外側凹入面１４５ｂは、第２内側凹入面１４５ａから出射してきた光を表面１４２又は側面１４３に向けて屈曲させるように構成されている。表面１４２に向かう光を増やす場合には第２外側凹入面１４５ｂの傾斜を大きくし、表面１４２に向かう光を少なくして側面１４３に向かう光を増やす場合は第２外側凹入面１４５ｂの傾斜を小さくする。
第２外側凹入面１４５ｂは、曲線（例えば円弧又は円弧に似た形状）であってもよいし、直線であってもよいし、曲線と直線とを組み合わせてもよいし、２種類以上の曲線や直線で構成してもよい。この場合、表面１４２に向かう光と側面１４３に向かう光とのバランスが考慮される。
【００２０】
レンズ１４は、第２凹入部１４５の第２内側凹入面１４５ａに光反射部材１４７を有してもよい（例えば図６に示す実施例４である）。これにより、第２内側凹入面１４５ａの傾斜に関係なく、当該第２内側凹入面１４５ａに向かってきた光を反射させることができる。また、これにより、ＬＥＤ１３から第２外側凹入面１４５ｂに向かう光は、ＬＥＤ１３から直接出射された光だけとなり、光学設計（光学制御）が容易となる。
【００２１】
第２凹入部１４５の深さは、表面１４２に向かう光を多くする場合、断面において、ＬＥＤ１３の幅方向の端縁と表面１４２の幅方向の端縁（表面１４２と側面１４３との連結部分）とを結ぶ仮想線よりも表側に凹入の底（表側端縁）が位置することが好ましい。
第２凹入部１４５の深さは、第１凹入部１４４がある場合、第１凹入部１４４の深さよりも大きいことが好ましい。具体的は、第２凹入部１４５の深さは、第１凹入部１４４の深さに対して、３〜６倍の範囲内にあるのが好ましい。これにより、第２凹入部１４５により配向制御が容易となる。
【００２２】
第２凹入部１４５の第２内側凹入面１４５ａの傾斜角度は、当該第２内側凹入面１４５ａの延長上に表面１４２が存在することが好ましい。
第２凹入部１４５の第２内側凹入面１４５ａは、第１凹入部１４４がある場合、第２内側凹入面１４５ａで屈曲した光が第２内側凹入面１４５ａに向かうようにするのが好ましく、第１内側凹入面１４４ａの延長線が第２内側凹入面１４５ａと交差するのが好ましい。
第２凹入部１４５の第２内側凹入面１４５ａは、第１凹入部１４４がある場合、第１外側凹入面１４４ｂの傾斜角度よりも大きいことが好ましい。これにより、第２内側凹入面１４５ａで表面１４２に向けて反射する光を広げる（分散する）ことができる。
【００２３】
第２凹入部１４５の幅方向の光軸Ｘ側（内側）の端縁は、ＬＥＤ１３の幅方向の端縁よりも外側に位置する。これにより、ＬＥＤ１３から出射された光の多くをレンズ１４内に入射する。
第２凹入部１４５の幅方向の光軸Ｘと反対側（外側）の端縁は、当該端縁とＬＥＤ１３の幅方向の端縁とを結ぶ仮想線とＬＥＤ１３の表面との角度が１７０（°）以上、１８０（°）未満の範囲にあるのが好ましい。これにより、ＬＥＤ１３から出射する光のほとんどがレンズ１４に入射する。
【００２４】
裏面１４１の幅方向の寸法は、ＬＥＤ１３の幅方向の寸法に対して、３倍以上であるのが好ましい。
ここでのレンズ１４は、ベース１１に取り付けるための突部１４６を裏面の幅方向の両側に有している。なお、突部１４６は、ベース１１とレンズ１４の裏面１４１との間隔を確保する機能も有する。
【００２５】
（２−２）表面
表面１４２の全体形状は、裏側に凹入する溝状をしている。ここでの溝は、二等辺三角形状に近い形状をし、隣接する二等辺の間の頂点が光軸Ｘ上に位置する。
表面１４２の傾斜は、レンズ１４内を表面１４２に向かう光が表面１４２で反射して側面１４３に向かうように構成されている。具体的には、表面１４２の傾斜角度は、２５（°）〜５５（°）の範囲内に設定されている。図２では約４０（°）である。これにより、レンズ１４内に入射した光であって表面１４２に向かう光の多くが側面１４３から出射されることとなり、光源ユニット１の幅方向（側方）の照度を向上させることができる。
表面１４２の傾斜は、直線状であってもよいし、曲線状であってもよい。ここでは、幅方向の外方へと進むにしたがって傾斜角度が小さくなるように構成されている。換言すると、表面１４２は表側に凸の緩やかな曲線状をしている。なお、表面１４２は傾斜角度のことなく複数の直線を連結したような面であってもよい。
【００２６】
（２−３）側面
側面１４３は、レンズ１４内を伝播して来た光がそのまま出射するよう曲線状に構成されている。但し、側面１４３における表面１４２に近い領域では幅方向に出射（屈折）するように構成されている。
【００２７】
＜実施例１＞
実施例１について図３を用いて説明する。なお、図３は、レンズの形状、光路及び配向特性は光軸Ｘに対して線対称であるため、右側を中心に表している。
実施例１のレンズ１４は、同図の（ａ）に示すように、平坦な裏面１４１を有している。つまり、実施例１のレンズ１４は、第１凹入部１４４及び第２凹入部１４５を有していない。
以下、実施例１に係る配向特性について、同図の（ｂ）、（ｃ）を用いて説明する。
同図の（ｂ）は、ＬＥＤ１３における光軸から幅方向に離れた２点から光が出射する場合のシミュレーション結果であり、ＬＥＤ１３から出射された光は、裏面１４１から入射した後、傾斜する表面１４２で幅方向に反射して、側面１４３で屈折して出射する。
これにより、同図の（ｃ）に示すように、ＬＥＤ１３から出射された多くの光が側面１４３から幅方向に出射することとなり、表側へ出射する光が少なく、幅方向へ出射する光が多いビーム曲線を示す。
実施例１では、図７に示すように、レンズ１４の最大光度角１６４（°）であり、１／２ビーム角は１７４（°）である。
【００２８】
＜実施例２＞
実施例２について図４を用いて説明する。なお、図４は、レンズの形状、光路及び配向特性は光軸に対して線対称であるため、右側を中心に表している。
実施例２のレンズ１４は、同図の（ａ）に示すように、平坦な裏面１４１に第１凹入部１４４を有している。つまり、実施例２のレンズ１４は第２凹入部１４５を有していない。
以下、実施例２に係る配向特性について、同図の（ｂ）、（ｃ）を用いて説明する。
同図の（ｂ）は、ＬＥＤ１３における光軸から幅方向に離れた２点から光が出射する場合のシミュレーション結果であり、ＬＥＤ１３から出射された光のうち、第１凹入部１４４の第１外側凹入面１４４ｂに向かう光は、第１外側凹入面１４４ｂで幅方向の外側に広がるように屈折してレンズ１４内に入射し、表面１４２に向かずに側面１４３で表側に屈折して外部へと出射する。これにより、同図の（ｃ）に示すように、ＬＥＤ１３から出射された一部の光が側面１４３から表方向に出射することとなり、表側へ出射する光も含む、幅方向へ出射する光が多いビーム曲線を示す。
実施例２では、図７に示すように、レンズ１４の最大光度角１６４（°）であり、１／２ビーム角は１７７（°）である。
【００２９】
＜実施例３＞
実施例３について図５を用いて説明する。なお、図５は、レンズの形状、光路及び配向特性は光軸に対して線対称であるため、右側を中心に表している。
実施例３のレンズ１４は、同図の（ａ）に示すように、平坦な裏面１４１に第２凹入部１４５を有している。つまり、実施例３のレンズ１４は第１凹入部１４４を有していない。
以下、実施例３に係る配向特性について、同図の（ｂ）、（ｃ）を用いて説明する。
同図の（ｂ）は、ＬＥＤ１３における光軸から幅方向に離れた２点から光が出射する場合のシミュレーション結果である。
ＬＥＤ１３から裏面１４１に入射した光のうち、第２凹入部１４５の第２内側凹入面１４５ａに向かうほとんどの光は、第２内側凹入面１４５ａで表面１４２に向かうように反射し、その後、表面１４２で反射して側面１４３から幅方向へと出射する。
ＬＥＤ１３から第２凹入部１４５の第２外側凹入面１４５ｂに入射した光は、表面１４２側に屈曲し、その後、側面１４３で屈曲して表側へと出射する。
これにより、同図の（ｃ）に示すように、ＬＥＤ１３から幅方向（光軸と直交する幅方向に近い方向）に出射されたほとんどの光が表面側に向かうこととなり、幅方向へ出射する光が多いビーム曲線を示す。
実施例３では、図７に示すように、レンズ１４の最大光度角１６４（°）であり、１／２ビーム角は１７４（°）である。
【００３０】
＜実施例４＞
実施例４について図６を用いて説明する。なお、図６は、レンズの形状、光路及び配向特性は光軸に対して線対称であるため、右側を中心に表している。
実施例４のレンズ１４は、同図の（ａ）に示すように、平坦な裏面１４１に第１凹入部１４４及び第２凹入部１４５を有している。
以下、実施例４に係る配向特性について、同図の（ｂ）、（ｃ）を用いて説明する。
同図の（ｂ）は、ＬＥＤ１３における光軸から幅方向に離れた２点から光が出射する場合のシミュレーション結果である。
ＬＥＤ１３から出射された光のうち、第１凹入部１４４の第１外側凹入面１４４ｂに向かう光は、第１外側凹入面１４４ｂで幅方向の外側に広がるように屈折してレンズ１４内に入射し、第２凹入部１４５の第２内側凹入面１４５ａ（光反射部材１４７）で反射して表面１４２に向かった後、表面１４２で反射して側面１４３から幅方向へと出射する。
ＬＥＤ１３から第２凹入部１４５の第２外側凹入面１４５ｂ（図２参照）に入射した光は、表面１４２側に屈曲し、その後、側面１４３で屈曲して表側へと出射する。
これにより、同図の（ｃ）に示すように、ＬＥＤ１３から出射された光が分散した状態で側面１４３から出射することとなり、幅方向へ出射する光が多いビーム曲線を示す。
実施例４では、図７に示すように、レンズ１４の最大光度角１６４（°）であり、１／２ビーム角は１８３（°）である。
【００３１】
＜照度分布＞
上記の各実施例の光源ユニット１を用い、ＬＥＤ１３の表面から距離が１００（ｍｍ）の被照射面を照射する場合の被照射面の照射分布をシミュレートした結果を図７に示している。図中における照度比率は、被照射面におけるＬＥＤ１３の光軸と交差する点を基準（０ｍｍ）として、当該基準から離された位置の照度を示している。なお、照度比率のグラフ中の数字（例えば「２００」である）の単位は「ｍｍ」である。
【００３２】
１．１／２ビーム角
すべての実施例において、１／２ビーム角が１６５(°)以上となり、側方の広い範囲に光を出射できる。図１の（ｂ）に示すような冷ケース２の場合、１／２ビーム角が１５０（°）以上あればよく、実施例のように１／２ビーム角が１６５（°）あると、光源ユニット１を適用できる冷ケース２の仕様（タイプ）が増え、汎用性の高いものとなる。
（１）第１凹入部
レンズ１４の裏面に第１凹入部１４４を有する実施例２は、第１凹入部１４４を有しない実施例１よりも、１／２ビーム角が大きくなっている。また、レンズ１４の裏面に第２凹入部１４５を有し且つ第１凹入部１４４を有する実施例４は、第２凹入部１４５を有し且つ第１凹入部１４４を有しない実施例３よりも、１／２ビーム角が大きくなっている。
このことから、第１凹入部１４４は光を側方へ広げる機能を有する。
【００３３】
（２）第２凹入部
レンズ１４の裏面に第２凹入部１４５を有する実施例３は、第２凹入部１４５を有しない実施例１と、同じ１／２ビーム角となっている。一方、レンズ１４の裏面に第２凹入部１４５を有し且つ第１凹入部１４４を有する実施例４は、第２凹入部１４５を有し且つ第１凹入部１４４を有しない実施例３よりも、１／２ビーム角が大きくなっている。
このことから、第２凹入部１４５は、単独では光を側方へ広げる機能が低く、第１凹入部１４４とで光を側方へ広げる機能が高まる。
【００３４】
２．照度比率
（１）第１凹入部
実施例２及び実施例４は、第１凹入部１４４を有し、照度比率のグラフから分かるように、光軸から２００（ｍｍ）離れた位置での照度が高くなっている。実施例１及び実施例３は、第１凹入部１４４を有しておらず、光軸から１００（ｍｍ）離れた位置での照度が高くなっている。
このことから、第１凹入部１４４は光を側方へ広げる機能を有する。
【００３５】
（２）第２凹入部
実施例４では、光軸から３００（ｍｍ）以上離れた位置での照度が、光軸上の照度に対して同等以上となっている。これに対し、第２凹入部１４５を有していない実施例２では、光軸から３００（ｍｍ）以上離れた位置での照度が、光軸上の照度に対して同等以下となっている。このことから、第２凹入部１４５は光を側方へ広げる機能を有する。
【００３６】
以上、実施形態を説明したが、本発明はこの実施形態に限られるものではなく、例えば、以下のような変形例を含んでもよい。また、実施形態に記載していていない例や、要旨を逸脱しない範囲の設計変更があっても本発明に含まれる。
１．カバー
実施形態の光源ユニット１では、レンズ１４を覆うカバーを備えていないが、カバーを備えてもよい。この場合、カバーに拡散機能を持たせることにより、被照射面での照射ムラを小さくできる。拡散機能は、例えば、カバーの内面と外面との少なくとも一方の面に凹凸を設けたり、カバー内に拡散粒子を混入したりすることで実施できる。
なお、凹凸は、例えば、ブラスト処理したり、シボ加工をした成形型を用いたりすることで形成できる。拡散粒子を混入させたものとして乳白色カバーを利用できる。
【００３７】
２．点灯回路
実施形態では、光源ユニット１に給電する点灯回路について、特に説明していないが、例えば、冷ケースの電源から直接受電するようにしてもよいし、光源ユニット内に点灯回路を備えてもよい。この場合を、点灯回路を、例えば、ベースの裏面に設けたり、レンズやベースを収容するケース（カバー）内に設けたりしてもよい。
【００３８】
３．表面（１４２）と第２凹入部１４５
実施形態では、表面１４２と第２凹入部（第２内側凹入面１４５ａ、第２外側凹入面１４５ｂ）から光が出射されることを前提として、記載したが、この形態だけに限らない。
例えば、表面（１４２）と第２凹入部１４５とのいずれか、又はすべてに光反射部材を設けて、表面や第２凹入部から光が出射しないようにしてもよい。
この場合、ＬＥＤからの第１凹入部に入射した光を表面と第２凹入部（第２凹入面、第２凹入面）から出射させることなく、側面１４３で屈曲させてレンズから出射させることが可能である。
【符号の説明】
【００３９】
１    光源ユニット
１３    ＬＥＤ（光源）
１４    レンズ（光学部材）
１４１    裏面
１４２    表面
１４３    側面
１４４    第１凹入部
１４５    第２凹入部
Ｘ    光軸
【図１】
2020087544.tif 000003
【図２】
2020087544.tif 000004
【図３】
2020087544.tif 000005
【図４】
2020087544.tif 000006
【図５】
2020087544.tif 000007
【図６】
2020087544.tif 000008
【図７】
2020087544.tif 000009